(57)【要約】【課題】本発明の課題は、電源プラグの接続部のトラッキング現象対策として埃や湿気が入ることを防ぎ予防する他、プラグ部分の温度上昇を警告することが可能な接触破損につよく、検出時ににおいを徐放するプラグ差込片装着具を提供する。【解決手段】差込片を挿入するためのプラグ孔部を有し、プラグ孔部を含む第一の面又は、プラグ孔部から延設された第二の面に、トラッキングによる温度上昇によりにおいを発生するためのにおい物質をマイクロカプセル又は、ゲル内に有するにおい発生部を有し、マイクロカプセル又は、ゲルに接触して破損することを防止するために、におい発生部と外部との間に隔壁を有する接触防止具を備えた。【選択図】図１
2013143204.tif 000002
【特許請求の範囲】
【請求項１】
電源プラグの差込片を挿入して取り付けられるものであって、
絶縁体で形成され、前記差込片を挿入するためのプラグ孔を有するプラグ孔部を有し、プラグ孔部を含む第一の面又は、プラグ孔部から延設された第二の面に、
トラッキングによる温度上昇によりにおいを発生するためのにおい物質をマイクロカプセル又は、ゲル内に有するところのにおい発生部を有し、
前記マイクロカプセル又は、前記ゲルに接触して破損することを防止するために、前記におい発生部と外部との間に隔壁を有する接触防止具を備えたことを特徴とするトラッキング予防・警告用プラグ差込片装着具。
【請求項２】
記接触防止具は、第一の面又は、第二の面の表面に、前記マイクロカプセル又は、前記ゲルを入れ込む窪みを有し、前記窪み以外の面が他のものが接触しないよう止める前記隔壁となるように、前巾の狭い窪みであるか、又は、第一の面又は、第二の面の表面に配置された前記マイクロカプセル又は、前記ゲルを覆おい前記隔壁となる被覆膜であって、
前記被覆膜が、予めにおい物質のにおいが通過可能な気孔を備えているか、又は、所望の温度以上で気孔が開くように、高温で変化する封止剤で封止された前記気孔を備えている
ことの少なくともいずれか一方を設けることを特徴とする請求項１記載のトラッキング予防・警告用プラグ差込片装着具。
【請求項３】
前記におい物質を異なる温度で放出する複数種類の前記マイクロカプセル又は、前記ゲルを備えたことを特徴とする請求項１又は、請求項２記載の請求項１記載のトラッキング予防・警告用プラグ差込片装着具。
【請求項４】
前記においは、前記種類ごとに異なるにおいであることを特徴とする請求項３記載のトラッキング予防・警告用プラグ差込片装着具。
【請求項５】
前記におい発生部は、前記プラグ孔部から相異なる距離隔てて複数個所設けられていることで、前記プラグ孔部の相異なる複数の温度で前記におい物質が放出されることを特徴とする請求項１から請求項４のいずれか一つに記載のトラッキング予防・警告用プラグ差込片装着具。
【発明の詳細な説明】
【技術分野】
【０００１】
本発明は、電源プラグとコンセントの接続部において発生するトラッキング現象を予防し、かつ警告するためのプラグ差込片装着具に関するものである。
【背景技術】
【０００２】
電化製品に付属している電源プラグは長年コンセントに接続されていると、プラグ差込片とコンセントの間に埃や湿気が付着し、プラグ差込片の間に電流が流れ、火花放電を繰り返すことにより炭化し、導電化され、出火する。この現象はトラッキング現象と呼ばれており、火災事故に繋がるものである。
【０００３】
このトラッキング現象対策として、様々な製品開発、発明がなされてきた。製品としてはプラグ差込片に取り付けるキャップや、電源タップ・コンセントに貼ることでトラッキング時にコンセントのアース穴に電流を誘導し、アース穴からブレーカーに電流を通してブレーカーを作動させるシート等がある。発明としては、特許文献１ではプラグとコンセントの間に貼る芳香剤付きシール、特許文献２ではプラグ部分の差込片間またはコンセントの受け差込片間の温度上昇をセンサーで感知し、警報を鳴らしブレーカーを作動させる火災防止装置が提案されている。
これらの製品や発明は、プラグとコンセントの間に埃や湿気が入らないようにしトラッキング現象を予防する点、トラッキング現象により発火する前に何らかの手段で警告する点、トラッキング現象が起きた時に、ブレーカーの遮断によりそれ以上の被害の進行を防止する点の３つがポイントとなっている。
【０００４】
しかしながら、前記トラッキング予防製品はプラグとコンセントの間に埃や湿気が入らないようにするとはいえ、その精度は完全ではないという問題点がある。そのため二重の対策としてトラッキング現象を警告する製品、防止する製品があるが、特にブレーカーを作動させる類のトラッキング防止製品はトラッキング現象が一定水準まで進行した状態でなければ機能せず、またブレーカーを作動させるための機構が必要になる。
特許文献２の発明は警報に加えてブレーカーを作動させるため高い効果が期待できるが、温度上昇を感知するセンサーと、警報を発したりブレーカーを作動させたりするための機構が必要になり、簡便ではない。
また、アース穴に電流を誘導する前記トラッキング防止製品は、特別な機構はなく簡便であるがコンセントにアース穴が必要で、それ以外のコンセントに対応できない。
【０００５】
そして特許文献１の発明は、シールを貼るだけでプラグとコンセントの間に水分が入ることを防ぎ、かつプラグ部分の温度が上昇した時に、基剤に添加された芳香剤が発熱により空気中に揮散して危険を警告するものであり、トラッキング現象の防止まではできないものの予防と警告の両方の機能を実現でき、かつ簡便である。
しかしプラグ部分の温度上昇時に香りが直ちに全揮散してしまうため、留守中に温度上昇した場合には人が戻ってきた時点で香りが持続していないケースが予想される。またシールが外部接触することにより芳香剤が剥がれることも予想され、不都合である。
【先行技術文献】
【特許文献】
【０００６】
【特許文献１】特開２０００−７７１２９
【特許文献２】特開２００４−２２１７２
【特許文献３】特開２００１−３０１３３４
【特許文献４】特許第３２０７２５６号
【非特許文献】
【０００７】
【非特許文献１】「マイクロ／ナノ系カプセル・微粒子の応用展開」シーエムシー出版
【発明の概要】
【発明が解決しようとする課題】
【０００８】
本発明の課題は、電源プラグとコンセントの接続部において発生するトラッキング現象対策として、前記プラグの差込片の根元に取り付けて埃や湿気が入ることを防ぎ、前記現象を予防する他、万が一前記現象の前段階として一定水準までプラグ部分の温度が上昇した場合に、表面上に配置されたマイクロカプセル又は、ゲル中のにおい物質を長時間にわたり揮散させて温度上昇を警告するものであり、かつ前記マイクロカプセル又は、ゲルが手など他の物体との接触により破損・剥離しないように接触防止具を備えたことを特徴とする、絶縁体のプラグ差込片装着具を提供することである。
【課題を解決するための手段】
【０００９】
本発明のトラッキング予防・警告用プラグ差込片装着具は、ポリ塩化ビニル等の絶縁体であり、電源プラグの差込片の根元に取り付けることで、埃や湿気がプラグとコンセントの間に入りトラッキング現象が発生することを予防する。そして、におい物質を内包し高温時に放出するマイクロカプセル又は、ゲルを表面に配置する。以下、その手段を記述する。
香りを長時間発生させるために、それぞれ異なる温度でにおい物質を放出させる複数種類のマイクロカプセルを用いて、マイクロカプセル又は、ゲルの種類ごとににおい物質放出の時間差を設ける。または、前記装着具表面においてプラグ取付部分からの距離がそれぞれ異なる位置にマイクロカプセル又は、ゲルを配置することで、熱源である電源プラグからの距離差による温度差を利用してにおい物質を順番に揮散させる。これらの方法は併用しても良い。更には、前記マイクロカプセル又は、ゲルを他の物体に直接接触させないための隔壁を有する接触防止具として、前記装着具の表面上に窪みを設けマイクロカプセル又は、ゲルを入れるか、またはにおい物質が通過可能な気孔が予め設けられている被覆膜か、又は、高温時に穴が開く被覆膜を用い、マイクロカプセル又は、ゲルをこれに混ぜて混在させるか又は、これで覆うかする。これらの窪みと被覆膜についても、併用可能である。
【００１０】
請求項１記載の発明は、トラッキング予防・警告用プラグ差込片装着具であって、
電源プラグの差込片を挿入して取り付けられるものであって、
絶縁体で形成され、前記差込片を挿入するためのプラグ孔を有するプラグ孔部を有し、プラグ孔部を含む第一の面又は、プラグ孔部から延設された第二の面に、
トラッキングによる温度上昇によりにおいを発生するためのにおい物質をマイクロカプセル又は、ゲル内に有するところのにおい発生部を有し、
前記マイクロカプセル又は、前記ゲルに接触して破損することを防止するために、前記におい発生部と外部との間に隔壁を有する接触防止具を備えたことを特徴とする。
【００１１】
請求項２記載の発明は、請求項１記載のトラッキング予防・警告用プラグ差込片装着具において、記接触防止具は、第一の面又は、第二の面の表面に、前記マイクロカプセル又は、前記ゲルを入れ込む窪みを有し、前記窪み以外の面が他のものが接触しないよう止める前記隔壁となるように、前巾の狭い窪みであるか、又は、第一の面又は、第二の面の表面に配置された前記マイクロカプセル又は、前記ゲルを覆おい前記隔壁となる被覆膜であって、
前記被覆膜が、予めにおい物質のにおいが通過可能な気孔を備えているか、又は、所望の温度以上で気孔が開くように、高温で変化する封止剤で封止された前記気孔を備えている
ことの少なくともいずれか一方を設けることを特徴とする。
【００１２】
請求項３記載の発明は、請求項１又は、請求項２記載の請求項１記載のトラッキング予防・警告用プラグ差込片装着具において、
前記におい物質を異なる温度で放出する複数種類の前記マイクロカプセル又は、前記ゲルを備えたことを特徴とする。
【００１３】
請求項４記載の発明は、請求項３記載のトラッキング予防・警告用プラグ差込片装着具において、前記においは、前記種類ごとに異なるにおいであることを特徴とする。
【００１４】
請求項５記載の発明は、請求項１から請求項４のいずれか一つに記載のトラッキング予防・警告用プラグ差込片装着具において、
前記におい発生部は、前記プラグ孔部から相異なる距離隔てて複数個所設けられていることで、前記プラグ孔部の相異なる複数の温度で前記におい物質が放出されることを特徴とする。
【発明の効果】
【００１５】
以上の様に構成されているので、本発明のトラッキング予防・警告用プラグ差込片装着具は、電源プラグの差込片の根元に取り付けることで、埃や湿気がプラグとコンセントの間に入りトラッキング現象が発生することを予防・警告する。また、表面上に配置されたマイクロカプセル、又は、ゲル化剤からのにおい物質放出のタイミングをずらすことができるため、におい物質が一度に全揮散せず長時間にわたり香りを発する。そして、装着具表面上にマイクロカプセルやゲルへの指など他の物体の接触防止具として、窪みを作ることで接触に対する隔壁を作ることや、予め気孔が設けられる被覆膜か又は高温時に穴が開く被覆膜を設けるか、或いは、これと混ぜ合わせた混合状態にすることにより、マイクロカプセル又は、ゲルに外部のものが接触することを避けることができ、マイクロカプセルが破壊・剥離しにくい。
したがって、本発明のトラッキング予防・警告用プラグ装着具は、トラッキング現象の予防機能を備えているだけでなく、高い水準の警告機能も備える。
【図面の簡単な説明】
【００１６】
【図１】本発明によるトラッキング予防・警告用プラグ差込片装着具の一実施態様を示す図である。
【図２】本発明によるトラッキング予防・警告用プラグ差込片装着具のプラグ装着形態を示す図である。
【図３】本発明によるトラッキング予防・警告用プラグ差込片装着具を備えたプラグをコンセントに差し込んだ使用形態を示す図である。
【図４】本発明によるトラッキング予防・警告用プラグ差込片装着具の表面に窪みを備えた実施態様を示す図である。
【図５】本発明によるトラッキング予防・警告用プラグ差込片装着具の表面に窪みにマイクロカプセル又は、ゲルを配置した状態を示す図である。
【図６】本発明によるトラッキング予防・警告用プラグ差込片装着具の表面にマイクロカプセル又は、ゲルを保護する被覆膜を備えた状態を示す図である。
【発明を実施するための形態】
【００１７】
本発明のトラッキング予防・警告用プラグ差込片装着具は、ポリ塩化ビニル樹脂、ポリオレフィン樹脂、ポリエステル樹脂、ポリプロピレン樹脂、ナイロン樹脂等の絶縁体で形成され、電源プラグの差込片の根元に取り付けることで、埃や湿気がプラグとコンセントの間に入りトラッキング現象が発生することを予防する。そして、におい発生部が、におい物質を内包し高温時に放出するマイクロカプセル又は、ゲルをその表面に備える。
香りを長時間発生させるためには、それぞれ異なる温度でにおい物質を放出させる複数種類のマイクロカプセル又は、ゲルを用いて、その種類ごとににおい物質放出の温度が違うものを使用するか、または、一種類のにおい物質でも、前記装着具表面においてプラグ取付部分からの距離がそれぞれ異なる位置にマイクロカプセル又は、ゲルを配置するようににおい発生部を構成することで、熱の発生源である電源プラグの差込片からの距離差による温度差を利用して、におい物質を順番に揮散させることで、長く徐放することが出来る。これらの方法は併用しても良い。
また、におい物質が複数で相異なるにおいを持たせることも可能である。
更には、前記マイクロカプセル又は、ゲルの接触防止具として、前記装着具の表面上に、窪みを設け、その中にマイクロカプセル又は、ゲルを入れることで窪み以外の面を接触をとめる隔壁にするか、または、におい物質が通過可能な気孔が予め設けられている被覆膜か、又は、高温時に穴が開く被覆膜を用い、マイクロカプセル又は、ゲルをこれに混ぜて混在させるか又は、これで覆うかすることで接触をとめる隔壁とする。
これらの窪みと被覆膜についても、併用可能である。
【００１８】
図１は、本発明によるトラッキング予防・警告用プラグ差込片装着具の一実施態様を示す図である。トラッキング予防・警告用プラグ差込片装着具１０１は、１―Ａではキャップ型、１―Ｂではカード型、１―ＣではＬ字型になっており、それぞれ電源プラグの差込片を通すためのプラグ孔１０２を有するプラグ孔部がある。
１―Ａのキャップ型は、コンセントに対面する面であり、プラグ孔１０２を有するプラグ面１０１Ａ（第一の面とする）から直角に少なくとも上面が突き出た突出面部１０３を有し、プラグに装着したときに突出面部１０３がプラグの差込片のある側を覆うことが可能となっている。１−Ａの例では、上面以外に側面、下面も覆う突出面部１０３を有する図となっている。
１−Ｂのカード型では、コンセントに対面する面であり、プラグ孔１０２を有するプラグ面１０１Ａのみで、突出面部を持たないものである。
１−Ａ、１−Ｂでは、１枚のプラグ面１０１Ａにプラグ孔１０２が開いているものである。
１−Ｃでは、個々のプラグの差込片ごとに各々取り付けられるＬ字型のものであり、一端は、プラグ孔１０２を有するプラグ孔部となっていて、長片（第二の面とする）がそこから延設している。
いずれの例でも、全体又は一部ににおい物質を含むようにし、におい発生部とする。
いずれの型においても、トラッキング予防・警告用プラグ差込片装着具１０１をプラグ差込片の根元までしっかりと差し込む。
【００１９】
図２は、本発明によるトラッキング予防・警告用プラグ差込片装着具のプラグ装着形態を示す図である。２―Ａ、２―Ｂ、２―Ｃは、それぞれ１―Ａ、１―Ｂ、１―Ｃにおけるトラッキング予防・警告用プラグ差込片装着具１０１を電源プラグに装着した状態を示している。
電源プラグはボディ２０１、プラグ差込片２０２、電源コード２０３を有し、トラッキング予防・警告用プラグ差込片装着具１０１をプラグ差込片２０２の根元までしっかりと差し込む。
【００２０】
図３は、本発明によるトラッキング予防・警告用プラグ差込片装着具を備えたプラグをコンセントに差し込んだ使用形態を示す図である。
３―Ａ、３―Ｂ、３―Ｃはそれぞれ１―Ａ、１―Ｂ、１―Ｃにおけるトラッキング予防・警告用プラグ装着具１０１を用いた使用形態である。
コンセントカバー３０１上のプラグ差込口３０２に、電源プラグを差し込む。この図ではコンセントが壁に取り付けられている場合を想定しているが、もちろん電源タップにても使用可能である。
プラグ部分が発熱した場合、トラッキング予防・警告用プラグ差込片装着具１０１の表面上に設置されたマイクロカプセル又は、ゲルがにおい物質３０３を放出する。
マイクロカプセル又は、ゲルに内包されるにおい物質３０３には、常温では固体・液体で高温時に香りのある気体を放出する物質か、香りのある気体そのものを用いる。前記固体・液体の具体例としては、香木やエッセンシャルオイルのように心地良い香りを放出するものであるとか、ニンニクのように、人体には無害であるが強い匂いや悪臭を放出するものでも良い。香りのある気体としては、前記の固体や液体から抽出したものを用いれば良い。におい物質放出温度が異なるマイクロカプセルを複数種類用いる場合は、様々な組み合わせのにおい物質３０３を用いると便利である。例えば低温度で放出されるにおい物質３０３は甘い香りを、高温度で放出されるにおい物質３０３は悪臭を放出するようにすれば、トラッキング現象の進行具合が分かりやすい。又、マイクロカプセルと同様にワックス、アミノ酸誘導体等のゲル化剤も用いることができる。ゲル化剤及びにおいとなる揮散性薬剤については、特開２００２−３０６５８４に詳述されているので、参照することができる。
におい物質としては、芳香族化合物、テルペン類、エステル類などに多くの物質がある。
トラッキングを少々熱くなった初期段階で発見するには、揮散する温度が５０℃から８０℃程度のものが好ましい。
尚、マイクロカプセルは、ゼラチンを用いたコアゼルベーション法などその製法は多くの種類があるが、特開平９−２０８４８８、特開平９−７７６６９に記載されているので、参照できる。
【００２１】
図４は、本発明によるトラッキング予防・警告用プラグ差込片装着具の表面に窪みを備えた実施態様を示す図である。
トラッキング予防・警告用プラグ差込片装着具１０１の表面上には窪み４０１が設けられ、窪み４０１の中ににおい物質を含んだマイクロカプセル又は、ゲルを配置する。
窪みの形成により、窪み以外の周辺の面が隔壁を形成する。他のものが接触しようとしたときに、窪み以外の周辺の面で止められ内包するマイクロカプセル又は、ゲルには接触しないからである。
窪み４０１は、４−Ａのようにプラグ孔１０２を中心とする、それぞれ半径の異なる円形とすれば、同じ窪み４０１上のいずれの地点同士もプラグ孔１０２との距離が等しくなる。また、4−Ｂのように、トラッキング予防・警告用プラグ差込片装着具１０１の横幅が短い場合は、直線状の窪み４０１をプラグ孔１０２から適当な間隔ごとに複数並べることもできる。窪み４０１は、例えば表面を指で触っても中に配置されるマイクロカプセル又は、ゲルに指が触れないように、横幅や深さを設定するのが良い。
そして、それぞれの窪み４０１は、電源プラグの温度がどこまで上がった時にその窪み４０１に配置されたマイクロカプセル又は、ゲルがにおい物質３０３を放出するかの目安としての温度数値又は符号が各窪み４０１付近に表示されていると、なお分かりやすい。表示の手段としては、予め温度の数値を刻む方法、色素を用いて高温時に温度の数値を浮かび上がらせる方法等が考えられる。
【００２２】
図５は、本発明によるトラッキング予防・警告用プラグ差込片装着具の表面に窪みにマイクロカプセル又は、ゲルを配置した状態を示す図である。
５―Ａ、５―Ｂはトラッキング予防・警告用プラグ差込片装着具１０１の窪み４０１の断面図であり、マイクロカプセル又は、ゲル５０１を一種類のみ用いた場合を５―Ａ、複数種類用いた場合を５―Ｂで表す。５―Ｂではマイクロカプセル又は、ゲル５０１の種類毎に丸印、三角印、星印で表している。
におい物質放出温度が異なる及びにおいが異なるマイクロカプセルを実現する方法は複数考えられ、以下に３つの例を挙げる。
【００２３】
一点目としては、熱応答性マイクロカプセルを用いる方法である。熱応答性マイクロカプセルは高温時にカプセル壁が溶融して破壊する、或いは、カプセル壁のにおい物質の吸着・捕獲特性が高温時に低下するなどによりカプセル壁の物質保存性が消失するものであり、応答温度の異なるカプセル壁材を選定することにより、様々な温度でにおい物質を揮散させることができる。マイクロカプセルの壁材としては、一般的に高分子材料が用いられ、具体的にはパラフィン、ゼラチン、ポリウレタン・ウレア、尿素・ホルマリン、メラミン・ホルマリン、その他架橋を作る一般的な高分子化合物としてアクリル系、アミド系、エステル系等が挙げられる。
なお、常温では固体・液体で、高温時に香りのある気体を放出するにおい物質をマイクロカプセルに入れる場合は、カプセル壁の応答温度よりもにおい物質の昇華温度または気化温度が低いと、カプセル壁が変質して穴が開いた時点で、気化したにおい物質がカプセル壁外に出られるため都合が良い。
【００２４】
二点目としては、特許文献３に記載されているように、前記一点目と同様に熱応答性マイクロカプセルを用いる方法であるが、におい物質をカプセル壁外に出すために、マイクロカプセル中に窒素ガスを含む熱分解型発泡剤を入れる。この方法では、高温時に発泡剤が分解され、次にマイクロカプセル中に放出された窒素ガスの熱膨張による内圧で、カプセル壁が破壊され、におい物質がカプセル壁外に出る。
まず熱分解型発泡剤は、意図する温度で分解し気体を発するものであって、マイクロカプセル壁膜のガラス転移点（温度）と同じまたはそれより低い分解温度を有するものであればよい。
なお、この手段によっても上記一点目と同様に、常温では固体・液体で、高温時に香りのある気体を放出するにおい物質をマイクロカプセルに入れる場合は、カプセル壁が破壊される温度よりもにおい物質の昇華温度または気化温度が低くなるようにすると都合が良い。
【００２５】
三点目としては、特許文献４に記載されているように、壁面に複数の穴が開いているマイクロカプセル中ににおい物質と熱溶融性組成物との混練物を入れる方法である。この方法では、高温時に前記熱溶融性組成物が溶融しにおい物質がマイクロカプセルの壁面上の穴を通って壁外に出る。
この方法では、マイクロカプセル中の熱溶融性組成物の溶融温度がにおい物質放出温度であり、マイクロカプセルの壁材を破壊する必要がない。熱溶融性組成物の素材としては、例えば脂肪酸系化合物とそれ以外の化合物とが挙げられ、脂肪酸系化合物としては、脂肪酸及び脂肪酸誘導体が挙げられる。
【００２６】
図６は、本発明によるトラッキング予防・警告用プラグ差込片装着具の表面にマイクロカプセル又は、ゲルを保護する被覆膜を備えた状態を示す図である。
トラッキング予防・警告用プラグ差込片装着具１０１の表面上にはマイクロカプセル又は、ゲル５０１が配置され、マイクロカプセル又は、ゲル５０１の上に、被覆膜６０１を設ける。被覆膜６０１は、におい物質３０３の放出のために、予め気孔６０２を設けるか高温時に穴が開くようにする。例えば、気孔６０２がパラフィンなどの熱溶融性組成物で閉じられているようにする。被覆膜６０１の素材は、高温時に穴を開けたい場合は、におい物質３０３を放出させたい所望の温度で変質して穴が開く物質を用いる。におい物質放出温度の異なる複数種類のマイクロカプセルを用いる場合は、一番低いにおい物質放出温度において変質させると良い。
尚、被覆膜として、医療分野で使われる多孔性ポリプロピレンフィルム、ポリプロピレン樹脂製のマイクロスポンジ、特開２０１１−５１９３８５に開示されるポリオレフィン系複合微多孔膜、その他ポリエチレン多孔質フィルムなどが利用可能である。
【産業上の利用可能性】
【００２７】
以上のように本発明に係るトラッキング予防・警告用プラグ装着具は、絶縁体で、電源プラグの差込片の根元に取り付けて埃や湿気が入ることを防ぎ、前記現象を予防する他、万が一前記現象の前段階として所定の温度までプラグ部分の温度が上昇した場合に、表面上に配置されたマイクロカプセル中のにおい物質を、一度に全揮散させず長時間にわたり放出して温度上昇を警告するものである。そして前記マイクロカプセルは、接触防止具が設けられることにより他のものに接触して破損・剥離或いは変質することを回避している。
したがって、本発明に係るトラッキング予防・警告用プラグ装着具は、トラッキング現象の予防機能と警告機能を高い水準で備えており、産業上利用性が極めて大きい。
【符号の説明】
【００２８】
１０１  トラッキング予防・警告用プラグ差込片装着具
１０１Ａ  プラグ面
１０２  プラグ孔
１０３  突出面部
２０１  ボディ
２０２  プラグ差込片
２０３  電源コード
３０１  コンセントカバー
３０２  プラグ差込口
３０３  におい物質
４０１  窪み
５０１  マイクロカプセル
６０１  被覆膜
６０２  気孔
【図１】
2013143204.tif 000003
【図２】
2013143204.tif 000004
【図３】
2013143204.tif 000005
【図４】
2013143204.tif 000006
【図５】
2013143204.tif 000007
【図６】
2013143204.tif 000008